(57)【要約】【課題】作業効率の向上を図ると共に、穂木や台木を傷付ける恐れを抑えることが可能な接木支持具を提供する。【解決手段】接木を行う台木及び穂木（苗木）を挿入して抱持する苗木挿入孔と、当該苗木挿入孔に沿って一方端から他方端に達するスリットを備えた筒状の弾性体からなる接木支持具において、苗木挿入孔とスリットの境である内側のエッジを曲面とする。また、弾性体の外壁面とスリットの境である外側のエッジを、曲面あるいは弾性体の外側に突出した形状として、接木支持具の表面に凹凸を形成する。  【選択図】  図１
2009065928.tif 000002
【特許請求の範囲】
【請求項１】
台木と穂木の切り口が接する接木接合部を抱持する苗木挿入孔と、該苗木挿入孔に沿って一方端から他方端に達するスリットとを具備する筒状の弾性体で構成された接木支持具において、
前記スリットと前記苗木挿入孔との境である内部エッジが曲面であることを特徴とする接木支持具。
【請求項２】
前記スリットと前記弾性体の外壁面との境である外部エッジが曲面であることを特徴とする請求項１記載の接木支持具。
【請求項３】
前記スリットと前記弾性体の外壁面との境である外部エッジが該弾性体の外側方向に突出した突起状であることを特徴とする請求項１記載の接木支持具。
【請求項４】
台木と穂木の切り口が接する接木接合部を抱持する苗木挿入孔と、該苗木挿入孔に沿って一方端から他方端に達するスリットとを具備する筒状の弾性体で構成された接木支持具において、
前記スリットと前記弾性体の外壁面との境である外部エッジが曲面であることを特徴とする接木支持具。
【請求項５】
台木と穂木の切り口が接する接木接合部を抱持する苗木挿入孔と、該苗木挿入孔に沿って一方端から他方端に達するスリットとを具備する筒状の弾性体で構成された接木支持具において、
前記スリットと前記弾性体の外壁面との境である外部エッジが該弾性体の外側方向に突出した突起状であることを特徴とする接木支持具。
【発明の詳細な説明】
【技術分野】
【０００１】
本発明は、茄子、トマト、きゅうりなどの果菜類の苗木の接木に用いる接木支持具に関し、特に、苗木の台木と穂木との接合部に取り付ける接木支持具に関する。
【背景技術】
【０００２】
苗木の台木と穂木との接合部に取り付ける接木支持具としては、例えば、図３(ａ)に示すように、合成樹脂やシリコンなどの弾性体からなる筒状の抱持体１０１の空洞（苗木挿入孔）１０２に沿って、一方端から他方端に達する切り込み（スリット）１０３を設け、図３(ｂ)及び(ｃ)に示すように、穂木１１０と台木１１１が接する接木接合部の外周をほぼ全周にわたって抱持する接木支持具１００が知られている（例えば、特許文献１参照）。
【特許文献１】実公平４−６５３０号公報号公報
【発明の開示】
【発明が解決しようとする課題】
【０００３】
ところで、果菜類等の苗木の接ぎ木作業では、台木と穂木の切り口に角度をつけて傾斜面とし、切り口の面積を広く取ることによって、台木の切り口と穂木の切り口の接着面積を広く取り、活着率を高めている。このため、切り口の傾斜がスリットの方向に向いていると、自重によって穂木がスリットから容易に離脱したり、スリットに穂木の重さがかかって接木支持具が外れたりする。このため、スリット側からの側面図である図３(ｂ)、及び図３(ｂ)のＡＡ断面図である図３(ｃ)に示すように、傾斜方向に対してスリットを約９０°ずらして接木支持具を設置する必要があった。
【０００４】
そして、特許文献１では、スリットに対して傾斜方向を約９０°ずらして筒状の抱持体を斜めにカットし、接木の切り口の傾斜に対応した傾斜を抱持体の上下端面（カット面）に付けることによって、スリットを適切な方向に向けて、台木と穂木の接続部に接木支持具を容易に設置することを可能としていた。
【０００５】
しかし、接木支持具の実際大きさは、直径約６mm、長さ約１０mmと小さく、上下端面の傾斜やスリットの位置を瞬時に視認することが難しいことから、作業効率の向上が困難であった。しかも、果菜類等の接木作業は、一人が一日に約千本前後の接木作業を行うため、目視による傾斜やスリットの確認は、目の疲れなど、作業者の疲労に繋がり、作業効率の低下を招いていた。
【０００６】
また、接木用の苗木は、台木及び穂木共に非常に柔らかく、接木支持具の素材をできるだけ柔らかい樹脂等で形成したとしても、筒状抱持体の苗木挿入孔（空洞）に台木及び穂木を差し込む時に、苗木挿入孔１０２とスリット１０３との境である内側エッジ１０４によって苗木の切り口１１２や表皮に擦り傷が生じ、活着が低下する恐れがあった（図３(ｄ)参照）。
【０００７】
そこで本発明では、作業効率の向上を図ると共に、穂木や台木を傷付ける恐れを抑えることが可能な接木支持具を提供することを目的とする。
【課題を解決するための手段】
【０００８】
本発明は、台木と穂木の切り口が接する接木接合部を抱持する苗木挿入孔と、該苗木挿入孔に沿って一方端から他方端に達するスリットとを具備する筒状の弾性体で構成された接木支持具において、前記スリットと前記苗木挿入孔との境である内部エッジが曲面であることを特徴とする。
【０００９】
そして、前記スリットと前記弾性体の外壁面との境である外部エッジが曲面であることが望ましい。
【００１０】
若しくは、前記スリットと前記弾性体の外壁面との境である外部エッジが該弾性体の外側方向に突出した突起状であることが望ましい。
【００１１】
次に、本発明は、台木と穂木の切り口が接する接木接合部を抱持する苗木挿入孔と、該苗木挿入孔に沿って一方端から他方端に達するスリットとを具備する筒状の弾性体で構成された接木支持具において、前記スリットと前記弾性体の外壁面との境である外部エッジが曲面であることを特徴とする。
【００１２】
また、本発明は、台木と穂木の切り口が接する接木接合部を抱持する苗木挿入孔と、該苗木挿入孔に沿って一方端から他方端に達するスリットとを具備する筒状の弾性体で構成された接木支持具において、前記スリットと前記弾性体の外壁面との境である外部エッジが該弾性体の外側方向に突出した突起状であることを特徴とする。
【発明の効果】
【００１３】
本発明では、穂木や台木の表皮や切り口に傷が発生することを防止しながら、作業効率を向上させることができる。
【発明を実施するための最良の形態】
【００１４】
以下、本発明について図面を参照しつつ詳細に説明する。なお、以下に示す本発明を実施するための形態は、本発明の具体的態様の一例であり、当該形態に限定されるものではない。
【実施例１】
【００１５】
図１は、本実施例のおける接木支持具の一例を示す図である。なお、図１(ａ)は、斜視図、図１(ｂ)は、上面図、図１(ｃ)は、スリット側からの側面図である。
【００１６】
図１に示すように、本実施例における接木支持具１０は、例えば、シリコンゴムなどの軟質ゴムや、軟質合成樹脂などの弾性体からなる筒状の抱持体１１で構成され、接木用の苗木を挿入する苗木挿入孔１２と、苗木挿入孔１２に沿って形成された一方端から他方端に達するスリット（切り込み）１３が設けられている。
【００１７】
そして、苗木挿入孔１２とスリット１３の境である内側エッジ１４は、曲面となっており、台木や穂木の切り口や表皮をエッジが傷付け、擦り傷などの傷が発生することを防止している。
【００１８】
また、抱持体１１の外壁面１５とスリット１３との境である外側エッジ１６は、曲面となっており、スリットの幅を実際に広げることなく広く見せている。このため、穂木を確実かつ効果的に抱持して活着率の向上を図ることができ、また、台木と穂木の乾燥を防ぐことができるといったスリットの幅を狭く取ることによる効果を維持しながら、スリット１３の視認性を向上させることができる。
【００１９】
さらに、外側エッジ１６の曲面によって、外壁面１５に凹部を形成している。このため、目視することなく、指先の感触などでスリット１３の位置を容易に確認することができる。
【００２０】
加えて、外側エッジ１６で形成された凹部を指などで押すことによってスリット１３が開くため、苗木挿入時に苗木挿入孔１２を広げて作業を行うことが容易であり、苗木挿入時に苗木の切り口や表皮に傷を付ける可能性を低減しながら、作業効率を向上させることができ、苗木挿入後は、苗木の太さに合わせてスリットが閉じるため、確実に抱持することができる。
【００２１】
次に、本実施例における接木支持具を用いた、トマト等の果菜類の接木作業の手順の一例を説明する。まず、台木の子葉の上方の茎を約２５〜３０°斜方向に切断する。そして、スリットを目視又は指先の感触などで確認し、切り口の傾斜方向に対して約９０°程度スリットの位置をずらして、台木の胚軸を苗木挿入孔内に半分程度挿入する。続いて、穂木を台木とほぼ同じ角度で切断し、筒状弾性体の上方から穂木を苗木挿入孔内に挿入して、台木と穂木の切断面を当接させることにより、接木作業は終了する。
【００２２】
なお、穂木と台木を挿入する順序に決まりはなく、穂木を先に挿入した接木支持具に台木を挿入してもよい。
【００２３】
また、スリットを指などで押さえ、苗木挿入孔を広げた状態で台木や穂木を接木支持具に挿入してもよい。
【００２４】
本実施例における接木支持具は、スリットが形成されているため、抱持体と、台木及び穂木の胚軸とが密着状態とならず、適度な空気や水分が流通可能となるため、胚軸表面が蒸れず、苗木の成育が良好になされる。
【００２５】
また、接木後の苗木が順調に成長し、苗木の茎が太くなるに従って、スリットが広がり、自然に苗木から離脱するため、接木支持具を取り外す作業を省略することができる。
【００２６】
なお、本実施例では、内部エッジ及び外部エッジ共に曲面としているが、内部エッジを曲面とすることによって、尖った角が接することによる傷の発生を防止し、外部エッジを曲面とすることにより、苗木挿入孔を容易に広げることができるため、内部エッジ又は外部エッジの少なくとも一方を曲面とすることによって、傷の発生を抑えることができる。ただし、両エッジが共に曲面であることが望ましい。
【実施例２】
【００２７】
図２は、本実施例のおける接木支持具の一例を示す図である。なお、図２(ａ)は、斜視図、図２(ｂ)は、上面図、図２(ｃ)は、スリット側からの側面図である。
【００２８】
図２に示すように、本実施例における接木支持具１０は、弾性体からなる筒状の抱持体１１で構成され、接木用の苗木を挿入する苗木挿入孔１２と、抱持体１１の一方端から他方端に達するスリット１３が設けられている。
【００２９】
そして、苗木挿入孔１２とスリット１３の境である内側エッジ１４は、曲面となっており、台木や穂木の切り口や表皮をエッジが傷付け、擦り傷などの傷が発生することを防止している。
【００３０】
一方、抱持体１１の外壁面１５とスリット１３との境である外側エッジ１６は、外側に突き出した突起状の形状を有しており、突起の盛り上がりでスリット位置を容易に視認できる。このため、穂木を確実かつ効果的に抱持して活着率の向上を図ることができ、また、台木と穂木の乾燥を防ぐことができるといったスリットの幅を狭く取ることによる効果を維持しながら、スリット１３の視認性を向上させることができる。
【００３１】
さらに、外側エッジ１６の突起状の形状によって、外壁面１５に凸部を形成している。このため、目視することなく、指先の感触などでスリット１３の位置を容易に確認することができる。
【００３２】
加えて、外側エッジ１６で形成された凸部を指などで押すことによってスリット１３が開くため、苗木挿入時に苗木挿入孔１２を広げて作業を行うことが容易であり、苗木挿入時に苗木の切り口や表皮に傷を付ける可能性を低減しながら、作業効率を向上させることができ、苗木挿入後は、苗木の太さに合わせてスリットが閉じるため、確実に抱持することができる。
【００３３】
なお、本実施例では、内部エッジを曲面とし、外部エッジを外側に向けた突起状としているが、内部エッジを曲面とすることによって、尖った角が接することによる傷の発生を防止し、外部エッジを突起状とすることにより、苗木挿入孔を容易に広げることができるため、少なくとも一方を所望の形状とする、すなわち内部エッジを曲面又は外部エッジを突起状とすることによって、傷の発生を抑えることができる。ただし、両エッジが共に所望の形状であることが望ましい。
【図面の簡単な説明】
【００３４】
【図１】実施例１に係る接木支持具の構成を示す図である。
【図２】実施例２に係る接木支持具の構成を示す図である。
【図３】従来の接木支持具の構成の一例を示す図である。
【符号の説明】
【００３５】
１０、１００…接木支持具、
１１、１０１…抱持体、
１２、１０２…苗木挿入孔、
１３、１０３…スリット、
１４、１０４…内側エッジ、
１５…外壁面、
１６…外側エッジ、
１１０…穂木、
１１１…台木、
１１２…切り口、
【図１】
2009065928.tif 000003
【図２】
2009065928.tif 000004
【図３】
2009065928.tif 000005